(57)【特許請求の範囲】
【請求項１】
プラグの栓刃を差し込む栓刃差込口が露出した状態で、当該栓刃差込口が形成された栓刃差込ユニットを外カバーと外ボディとで覆うとともに、当該外カバーおよび外ボディの双方の一端壁に形成された切欠同士を合わせて開口部が形成され、当該開口部にブッシングを介して当該栓刃差込ユニットに繋がる電源コードを挿通させたテーブルタップにおいて、
前記ブッシングは、筒状部と、当該筒状部の一端側の周縁に設けられるフランジ部と、前記筒状部と前記フランジ部との接続境界部に設けられ、前記筒状部の一端部を径外側に向けて張り出させた環状の張出部とを備えており、
前記張出部の外周に切欠部を設け、
前記外カバーおよび外ボディのうち少なくともいずれか一方の裏面に、前記切欠部に挿入される係合突起を設け、
前記切欠部と前記係合突起との係合による前記ブッシングの回り止め機構を構成したことを特徴とするテーブルタップ。
【請求項２】
前記切欠部を前記ブッシングの中心部を挟んで対をなすように設けるとともに、前記係合突起を対をなすように設け、
前記対をなす係合突起によって前記ブッシングを挟持するようにしたことを特徴とする請求項１に記載のテーブルタップ。
【請求項３】
前記外カバーおよび外ボディのうち少なくとも一方の裏面に、前記切欠部に挿入される係合突起を挟んで対をなす壁状突起を設け、
前記対をなす壁状突起によって前記ブッシングを挟持するようにしたことを特徴とする請求項１または２に記載のテーブルタップ。
【請求項４】
前記係合突起を、前記外カバーおよび外ボディのうち少なくとも一方の裏面に沿って延設したリブによって形成したことを特徴とする請求項１〜３のうちいずれか一つに記載のテーブルタップ。
【請求項５】
前記外カバーおよび外ボディのうち少なくともいずれか一方の裏面に、前記ブッシングの外周面に突き当てる当接突起を設け、
前記ブッシングの外周面と前記当接突起との当接による前記ブッシングの回り止め機構を構成したことを特徴とする請求項１〜４のうちいずれか一つに記載のテーブルタップ。
【発明の詳細な説明】
【技術分野】
【０００１】
本発明は、テーブルタップに関する。
【背景技術】
【０００２】
従来のテーブルタップとして、プラグの栓刃を差し込む栓刃差込口が露出した状態で、当該栓刃差込口が形成された栓刃差込ユニットを外カバーと外ボディとで覆うとともに、当該外カバーおよび外ボディの双方の一端壁に形成された切欠同士を合わせて開口部が形成され、当該開口部にブッシングを介して当該栓刃差込ユニットに繋がる電源コードを挿通させたテーブルタップが知られている（例えば、特許文献１）。
【０００３】
この種のテーブルタップでは、上記開口部で、外カバーと外ボディとによってブッシングを挟み込むことでブッシングが回動するのを抑制するとともに、ブッシングが開口部から抜けるのを抑制するのが一般的である。
【特許文献１】特開２００５−２０３３３０号公報
【発明の開示】
【発明が解決しようとする課題】
【０００４】
しかしながら、単に、開口部において、外カバーと外ボディとによってブッシングを挟み込むだけでは、より大きなねじり力等が作用した場合に、ブッシングの回動を完全に防止するのが難しくなる場合があった。
【０００５】
そこで、本発明は、ブッシングがより回動し難いテーブルタップを得ることを目的とする。
【課題を解決するための手段】
【０００６】
請求項１の発明にあっては、プラグの栓刃を差し込む栓刃差込口が露出した状態で、当該栓刃差込口が形成された栓刃差込ユニットを外カバーと外ボディとで覆うとともに、当該外カバーおよび外ボディの双方の一端壁に形成された切欠同士を合わせて開口部が形成され、当該開口部にブッシングを介して当該栓刃差込ユニットに繋がる電源コードを挿通させたテーブルタップにおいて、前記ブッシングは、筒状部と、当該筒状部の一端側の周縁に設けられるフランジ部と、前記筒状部と前記フランジ部との接続境界部に設けられ、前記筒状部の一端部を径外側に向けて張り出させた環状の張出部とを備えており、前記張出部の外周に切欠部を設け、前記外カバーおよび外ボディのうち少なくともいずれか一方の裏面に、前記切欠部に挿入される係合突起を設け、前記切欠部と前記係合突起との係合による前記ブッシングの回り止め機構を構成したことを特徴とする。
【０００７】
請求項２の発明にあっては、上記切欠部を上記ブッシングの中心部を挟んで対をなすように設けるとともに、上記係合突起を対をなすように設け、上記対をなす係合突起によって上記ブッシングを挟持するようにしたことを特徴とする。
【０００８】
請求項３の発明にあっては、上記外カバーおよび外ボディのうち少なくとも一方の裏面に、上記切欠部に挿入される係合突起を挟んで対をなす壁状突起を設け、上記対をなす壁状突起によって上記ブッシングを挟持するようにしたことを特徴とする。
【０００９】
請求項４の発明にあっては、上記係合突起を、上記外カバーおよび外ボディのうち少なくとも一方の裏面に沿って延設したリブによって形成したことを特徴とする。
【００１０】
請求項５の発明にあっては、上記外カバーおよび外ボディのうち少なくともいずれか一方の裏面に、上記ブッシングの外周面に突き当てる当接突起を設け、上記ブッシングの外周面と上記当接突起との当接による上記ブッシングの回り止め機構を構成したことを特徴とする。
【発明の効果】
【００１１】
請求項１の発明によれば、ブッシングの外周に設けた切欠部と当該切欠部に挿入される係合突起との係合によって、ブッシングの回り止め機構を構成したため、ブッシングの回動をより確実に抑制することができる。
【００１２】
請求項２の発明によれば、対をなす係合突起によってブッシングを挟持することができ、ブッシングの回動をより一層確実に抑制することができる。
【００１３】
請求項３の発明によれば、対をなす壁状突起によってブッシングを挟持することで、ブッシングの回動をさらに確実に抑制することができる上、上記係合突起と切欠部との係合が解除されるのを抑制することができる分、さらに回動抑制効果を高めることができるという利点がある。
【００１４】
請求項４の発明によれば、外カバーまたは外ボディの剛性および強度を向上させることができるリブの一部を上記係合突起として用いたため、これらを別途設ける場合に比べて、構成を簡素化することができ、製造コストを削減することができるという利点がある。
【００１５】
請求項５の発明によれば、ブッシングの外周面に当接突起を突き当てることで、ブッシングの回動をより一層確実に抑制することができる。
【発明を実施するための最良の形態】
【００１６】
以下、本発明の実施形態について図面を参照しつつ詳細に説明する。
【００１７】
（第１実施形態）図１〜図６は本発明にかかるスイッチ装置の防水構造の第１実施形態を示し、図１は、テーブルタップの斜視図、図２は、テーブルタップの分解斜視図、図３は、ブッシングの斜視図、図４は、ブッシングを各方向から見た図、図５は、外カバーのブッシングを装着する端部の平面図および断面図、図６は、外ボディのブッシングを装着する端部の平面図および断面図、図７は、ブッシングおよびハウジングの断面図であって、図５のＡ−Ａ線および図６のＢ−Ｂ線に対応する縦断面図、図８は、ブッシングおよびハウジングの断面図であって、図７よりも奥側（テーブルタップ内側）の位置での縦断面図である。
【００１８】
本実施形態のスイッチ装置の防水構造は、図１，図２に示すように、電気機器としてのテーブルタップ１に適用された場合を例にとって説明し、そのテーブルタップ１を説明するにあたって、便宜上、図中上方を上の部材および上方位置、図中下方を下の部材および下方位置および図中左・右方向左・右位置をとして説明するが、特にそれら上・下および左・右の位置関係を特定するものでは無い。
【００１９】
テーブルタップ１は、図１に示すように、外カバー２Ａと外ボディ２Ｂとによって断面略矩形状の中空に形成されるハウジング２を備え、そのハウジング２の上面２ｃに図外のプラグの栓刃差込ユニット３が、ハウジング２の長さ方向に適宜間隔をもって複数（本実施形態では２個）設けられるとともに、ハウジング２の先端面２ｄにも１つの栓刃差込ユニット３が設けられる。
【００２０】
また、ハウジング２の上面２ｃの基端側（図２中向こう側）には、オン・オフ切換用のスイッチ１０が設けられ、このスイッチ１０の切り換えによって電源コード４から供給される電気が、各栓刃差込ユニット３に通電および遮断されるようになっている。
【００２１】
ここで、本実施形態では、スイッチ１０は、防水パッキング２０を設けた防水型スイッチとして提供される。
【００２２】
そして、テーブルタップ１の詳細な内部構造は、図２に示すように、上・下に分割された外カバー２Ａと外ボディ２Ｂとの間に、中ボディ５、刃受け６、栓刃差込ユニット３およびスイッチ１０が内蔵され、電源コード４がハウジング２に挿入される部分には、防水ブッシング７が取り付けられる。
【００２３】
外カバー２Ａは、下方が解放された浅い断面略逆Ｕ字状に形成され、その上面２ｃには、栓刃差込ユニット３の栓刃差込口３ａを上方に臨ませる開口部２Ａａが形成されるとともに、スイッチ１０を嵌め込んで取り付ける取付用開口部２Ａｂが形成される。また、外カバー２Ａの先端面２ｄにも、栓刃差込ユニット３の栓刃差込口３ａを臨ませるＵ字状の切欠部２Ａｃが形成される。
【００２４】
外ボディ２Ｂは、上方が解放された浅い断面略Ｕ字状に形成され、その長さ方向に複数（本実施形態では３本）の組立ネジ８を挿通するネジ取付孔２Ｂａが形成され、そのネジ取付孔２Ｂａに挿通した組立ネジ８を介して外カバー２Ａと外ボディ２Ｂとを結合するようになっている。また、外ボディ２Ｂの先端面２ｄには、外カバー２Ａの切欠部２Ａｃと合わせて矩形状の開口部を形成する切欠部２Ｂｉが形成される。
【００２５】
また、外カバー２Ａおよび外ボディ２Ｂの裏面側には、格子状にリブ（２Ｂｂ等）が設けられ、剛性および強度の向上が図られている。そして、外ボディ２Ｂのリブ２Ｂｂおよび外カバー２Ａのリブ（図２には示さず）には、中ボディ５の側壁５ａおよび底面５ｂの外側形状に沿って切欠が形成されており、中ボディ５を安定的に嵌合支持できるようにしてある。
【００２６】
さらに、外カバー２Ａおよび外ボディ２Ｂの基端側の壁面間には、電源コード４を取り込むための切欠部２Ａｇ（図５参照），２Ｂｃが形成され、それら切欠部２Ａｇ，２Ｂｃに電源コード４を挿通した防水ブッシング７が嵌合・係止される。外カバー２Ａと外ボディ２Ｂとが組み立てられた状態では、外カバー２Ａの切欠部２Ａｇと外ボディ２Ｂの切欠部２Ｂｃとが合わさって、防水ブッシング７を挿通する略矩形状の開口部が形成される。
【００２７】
中ボディ５は、刃受け６を保持するケースで、上方および先端（図中手前側）が解放された断面Ｕ字状に形成され、その内側には刃受け６を嵌合保持するための複数の突起部５ｃが突設されるとともに、底面５ｂの中央部には組立ネジ８を挿通する開口部５ｄが形成されている。
【００２８】
刃受け６は、ハウジング２の幅方向（左右方向）に配置される２本の導電帯板６ａ，６ｂを備え、それら導電帯板６ａ，６ｂのそれぞれの中間部には、プラグの栓刃を弾発力をもって挟み込む刃受けばね６ｃが所定間隔をもって２箇所設けられるとともに、導電帯板６ａ，６ｂのそれぞれの先端部（図２中手前側）には同様の刃受けばね６ｃが１箇所設けられる。
【００２９】
そして、各刃受けばね６ｃは、栓刃差込ユニット３にそれぞれ２箇所設けられた栓刃差込口３ａに配置される。なお、各栓刃差込ユニット３はそれぞれの栓刃差込口３ａに図外の防水扉が開閉自在に設けられて、防水構造となっている。
【００３０】
また、導電帯板６ａ，６ｂの基端部（図２中向こう側）は、スイッチ１０に接続される接続端部６ｄ，６ｅとなっている。
【００３１】
スイッチ１０は、揺動操作される操作部１１と、この操作部１１の中央部を揺動可能に支持するスイッチケース１２とを備え、操作部１１の揺動操作でオン・オフされる、所謂タンブラースイッチを構成しており、ハウジング２の取付用開口部２Ａｂから操作部１１を外方に臨ませて取り付けられる。
【００３２】
スイッチ１０には、図２中向こう側に電源コード４の２本のコード４ａ，４ｂが接続される図外の２つの入力端子と、図２中手前側に突出する２つの出力端子１３ａ，１３ｂが設けられ、操作部１１をオン操作、つまり、突部１１ａが設けられた側を図２に示すように下方に押すことにより、電源コード４から供給される電気を出力端子１３ａ，１３ｂに通電する一方、操作部１１をオフ操作、つまり、突部１１ａが設けられたとは反対側を下方に押すことにより、電源コード４から供給される電気を遮断して、出力端子１３ａ，１３ｂには通電されないようになっている。
【００３３】
出力端子１３ａ，１３ｂは、刃受け６のそれぞれ対応する接続端部６ｄ，６ｅに接続され、スイッチ１０のオン状態で各栓刃差込ユニット３が通電状態になる一方、スイッチ１０のオフ状態で各栓刃差込ユニット３が非通電状態となる。
【００３４】
このように構成されたテーブルタップ１の組み付けは、図２に示すように外ボディ２Ｂに、刃受け６を保持した中ボディ５をセットするとともに、スイッチ１０をセットし、そして、刃受け６の各刃受けばね６ｃにそれぞれ対応する栓刃差込ユニット３を配置する一方、外カバー２Ａの取付用開口部２Ａｂの周縁部内側に防水パッキング２０を仮止めしておき、当該外カバー２Ａをそれらの上方から被せて、組立ネジ８によって外ボディ２Ｂと外カバー２Ａとを結合する。
【００３５】
ここで、図３および図４に示すように、防水ブッシング７は、基本的には、有底かつ楕円筒状の筒状部７ｂの開放側の周縁にフランジ部７ａを設けた構成となっており、さらに、筒状部７ｂとフランジ部７ａとの接続境界部には、筒状部７ｂの基端部を一定幅で一定高さだけ径方向に張り出させて環状の張出部７ｅを設けてある。なお、筒状部７ｂの外周には適宜環状溝が形成され、可撓性を高めてある。
【００３６】
筒状部７ｂの底部には、長穴状の貫通孔７ｄが設けられており、電源コード４は、この貫通孔７ｄを介して筒状部７ｂの筒内部７ｃ内に導入され、ハウジング２内のスイッチ１０に向けて延伸され、接続される。このとき、貫通孔７ｄは、電源コード４の外形状よりも僅かに小さく形成して、電源コード４が貫通孔７ｄ内に嵌挿されるようにし、この部分で防水ブッシング７の弾性力によってシールが確保されるようにしている。
【００３７】
また、張出部７ｅの上下には、それぞれ、外周側および筒状部７ｂの底部側に向けて開放する切欠部７ｆ（裏面側の切欠部７ｆについては図７参照）が形成されている。
【００３８】
さらに、フランジ部７ａの外周には、平坦面７ｇ，７ｉが形成してある。本実施形態では、フランジ部７ａは、略長方形状の外周形状の長辺の中央部を比較的大きな曲率半径で上下に膨出させた膨出部７ｈ，７ｈを備えた形状となっており、当該長方形状の外周形状の短辺に相当する側方の平坦面７ｉと、上下の膨出部７ｈ，７ｈの両側方（合計四箇所）の平坦面７ｇとを有している。
【００３９】
また、図５に示すように、外カバー２Ａには、この防水ブッシング７を適宜な姿勢で係止するための構成が設けられる。
【００４０】
すなわち、本実施形態では、具体的には、天壁部２Ａｄの長手方向中央部から裏面側（ハウジング内側）に、当該長手方向に沿って伸びるリブ２Ａｆ，２Ａｉを立設するとともに、その両側方（図５では左右両側）に、所定間隔をあけて平行に、リブ２Ａｅ，２Ａｈを一対設けている。
【００４１】
ここで、一対のリブ２Ａｅ，２Ａｅは、図７に示すように、中央部のリブ２Ａｆよりも高くし、外ボディ２Ｂとの境界部近傍まで延設してある。また、図７および図８に示すように、長手方向内側に配置されるリブ２Ａｉ，２Ａｈは、いずれも、長手方向に隣接配置されるリブ２Ａｆ，２Ａｅより低くしてある。
【００４２】
一方、図６に示すように、外ボディ２Ｂにも、この防水ブッシング７を適宜な姿勢で係止するための構成が設けられる。
【００４３】
すなわち、本実施形態では、具体的には、底壁部２Ｂｆの長手方向中央部から裏面側（ハウジング内側）に、当該長手方向に沿って伸びるリブ２Ｂｄ，２Ｂｈを立設するとともに、その両側方（図６では左右両側）に、所定間隔をあけて平行に、リブ２Ｂｅ，２Ｂｇを一対設けている。
【００４４】
ここで、一対のリブ２Ｂｅ，２Ｂｅは、図７に示すように、中央部のリブ２Ｂｄよりも高くし、外カバー２Ａとの境界部近傍まで延設してある。また、図７および図８に示すように、長手方向内側に配置されるリブ２Ｂｈ，２Ｂｇは、いずれも、長手方向に隣接配置されるリブ２Ｂｄ，２Ｂｅより低くしてある。
【００４５】
以上の構成において、上述したようにして外カバー２Ａおよび外ボディ２Ｂを結合し、それら外カバー２Ａおよび外ボディ２Ｂによって防水ブッシング７を挟持すると、図７に示すように、防水ブッシング７の張出部７ｅに設けた切欠部７ｆ，７ｆには、外カバー２Ａのリブ２Ａｆおよび外ボディ２Ｂのリブ２Ｂｄが食い込み、これらリブ２Ａｆ，２Ｂｄによって、防水ブッシング７の軸回りの回動が規制された状態となる。すなわち、本実施形態では、防水ブッシング７の外周に設けた切欠部７ｆ，７ｆと当該切欠部７ｆ，７ｆに挿入されるリブ２Ａｆ，２Ｂｄとによって、防水ブッシング７の回り止め機構が形成される。よって、本実施形態では、リブ２Ａｆ，２Ｂｄが、本発明にかかる「係合突起」に相当する。
【００４６】
また、同じく図７に示すように、外カバー２Ａのリブ２Ａｅと外ボディ２Ｂのリブ２Ｂｅとが相互に突き合わされてほぼ一続きの側壁が一対形成され、この一対の側壁内に、防水ブッシング７の張出部７ｅが略挟持された状態となる。かかる構成により、防水ブッシング７のハウジング２に対する横方向のずれが抑制されるとともに、切欠部７ｆ，７ｆとリブ２Ａｆ，２Ｂｄとの相対的なずれが抑制され、防水ブッシング７の回り止め効果が向上している。よって、本実施形態では、リブ２Ａｅ，２Ｂｅが、本発明にかかる「壁状突起」に相当する。
【００４７】
さらに、図８に示すように、フランジ部７ａの上下四箇所に形成された平坦面７ｇに、それぞれ、外カバー２Ａのリブ２Ａｈ、または外ボディ２Ｂのリブ２Ｂｇの先端部を略垂直に突き当て、防水ブッシング７の両側方で、リブ２Ａｈとリブ２Ｂｇとによってフランジ部７ａを挟持するようにしている。すなわち、本実施形態では、防水ブッシング７と、当該防水ブッシング７の外周面に突き当てたリブ２Ａｈ，２Ｂｇとによっても、防水ブッシング７の回り止め機構が形成される。よって、本実施形態では、リブ２Ａｈ，２Ｂｇが、本発明にかかる「当接突起」に相当する。
【００４８】
なお、防水ブッシング７のフランジ部７ａの側方の平坦面７ｉに沿って、外カバー２Ａおよび外ボディ２Ｂのうち少なくとも一方から上下方向にリブ（図示せず）を伸ばし、このリブを平坦面７ｉに当接させることで、回り止め機構を形成してもよい。
【００４９】
この場合においては、さらに、一対の平坦面７ｉの各々にリブを当接させ、その一対のリブによって防水ブッシング７のフランジ部７ａを側方から挟持するように構成すると、回り止め機能をより一層強化することができる。
【００５０】
以上の本実施形態によれば、防水ブッシング７の外周に設けた切欠部７ｆと当該切欠部７ｆに挿入される「係合突起」としてのリブ２Ａｆ，２Ｂｄとの係合によって、防水ブッシング７の回り止め機構を構成したため、防水ブッシング７の回動をより確実に抑制することができる。
【００５１】
ここで、本実施形態では、切欠部７ｆを、フランジ部７ａと筒状部７ｂとの接続境界部に設けた張出部７ｅに形成したため、当該接続境界部における剛性および強度を向上することができるとともに、切欠部７ｆを設けたことによる剛性および強度の低下を抑制することができる。
【００５２】
また、本実施形態によれば、対をなす「係合突起」としてのリブ２Ａｆ，２Ｂｄによって防水ブッシング７を挟持することができる分、防水ブッシング７の回動をより一層確実に抑制することができる。
【００５３】
なお、上記実施形態では、相互に対向するリブ２Ａｆ，２Ｂｄを一対のみ設けたが、これを複数対設けてもよいし、複数のリブと複数のリブとを相互に対向させることで、防水ブッシングを挟持するようにしてもよい。
【００５４】
また、本実施形態によれば、対をなす「壁状突起」としてのリブ２Ａｅ，２Ｂｅによって防水ブッシング７を挟持することで、防水ブッシング７の回動をさらに確実に抑制することができる上、上記「係合突起」としてのリブ２Ａｆ，２Ｂｄと切欠部７ｆ，７ｆとの係合が解除されるのを抑制することができる分、回動抑制効果をさらに高めることができるという利点がある。
【００５５】
また、本実施形態によれば、防水ブッシング７の外周面に「当接突起」としてのリブ２Ａｈ，２Ｂｇを突き当てることで、防水ブッシング７の回動をより一層確実に抑制することができる。
【００５６】
この場合、防水ブッシング７の外面の一部に平坦面７ｇを形成し、これら平坦面７ｇにリブ２Ａｈ，２Ｂｇを突き当てることで、曲面状の外周面に突き当てる場合に比べて、防水ブッシング７の回動をより一層確実に抑制することができる。
【００５７】
また、本実施形態によれば、対をなす「当接突起」としてのリブ２Ａｈ，２Ｂｇによって防水ブッシング７を挟持することができ、当該防水ブッシング７の回動をより一層確実に抑制することができる。
【００５８】
また、本実施形態によれば、外カバー２Ａまたは外ボディ２Ｂの剛性および強度を向上させることができるリブ２Ａｆ，２Ｂｄ，２Ａｅ，２Ｂｅ，２Ａｈ，２Ｂｇの一部を、本発明にかかる「係合突起」、「壁状突起」、あるいは「当接突起」として用いたため、これら「係合突起」、「壁状突起」、あるいは「当接突起」をリブとは別個に設ける場合に比べて、構成を簡素化することができ、製造コストを削減することができるという利点がある。
【００５９】
そして、本実施形態では、図７および図８から明らかとなるように、これら「係合突起」、「壁状突起」、および「当接突起」を、いずれも、同じ方向（上下方向；表裏方向）に略平行に突出する突起として形成したため、型を用いた樹脂成形によって極めて容易に形成することができるという利点がある。
【００６０】
ところで、本発明は上記実施形態に例をとって説明したが、これら実施形態に限ることなく本発明の要旨を逸脱しない範囲で他の実施形態を各種採用することができる。
【図面の簡単な説明】
【００６１】
【図１】本発明の実施形態にかかるテーブルタップの斜視図。
【図２】本発明の実施形態にかかるテーブルタップの分解斜視図。
【図３】本発明の実施形態にかかるテーブルタップに含まれるブッシングの斜視図。
【図４】本発明の実施形態にかかるテーブルタップに含まれるブッシングの平面図（ａ）、側面図（ｂ）、および正面図（ｃ）。
【図５】本発明の実施形態にかかるテーブルタップに含まれる外カバーのブッシングを装着する端部の平面図（ｂ）と断面図（（ａ）；図５（ｂ）のＡ−Ａ断面図）。
【図６】本発明の実施形態にかかるテーブルタップに含まれる外ボディのブッシングを装着する端部の平面図（ａ）と断面図（（ｂ）；図６（ａ）のＢ−Ｂ断面図）。
【図７】本発明の実施形態にかかるテーブルタップに含まれるブッシングおよびハウジングの断面図であって、図５のＡ−Ａ線および図６のＢ−Ｂ線に対応する縦断面図。
【図８】本発明の実施形態にかかるテーブルタップに含まれるブッシングおよびハウジングの断面図であって、図７よりも奥側（テーブルタップ内側）の位置での縦断面図。
【符号の説明】
【００６２】
１  テーブルタップ
２Ａ  外カバー
２Ａｅ，２Ｂｅ  リブ（壁状突起）
２Ａｆ，２Ｂｄ  リブ（係合突起）
２Ａｇ，２Ｂｃ  切欠部（切欠）
２Ａｈ，２Ｂｇ  リブ（当接突起）
２Ｂ  外ボディ
３  栓刃差込ユニット
３ａ  栓刃差込口
４  電源コード
７  防水ブッシング（ブッシング）
７ｆ，７ｆ  切欠部
７ｇ  平坦面
【図１】
0004556822.tif 000002
【図２】
0004556822.tif 000003
【図３】
0004556822.tif 000004
【図４】
0004556822.tif 000005
【図５】
0004556822.tif 000006
【図６】
0004556822.tif 000007
【図７】
0004556822.tif 000008
【図８】
0004556822.tif 000009